(57)【要約】【課題】  用紙を高速反転させることができる用紙反転装置を提供する。【解決手段】  搬入用搬送手段１３と搬入用吸引手段１４と搬出用搬送手段１５及び搬出用吸引手段１６を備え、用紙反転スペースＳに導き入れた用紙Ｐを反転位置で搬入用搬送手段１３から搬出用搬送手段１５に乗り移らせ、乗り移った用紙Ｐを用紙反転スペースＳから搬出することによって用紙Ｐの表裏を反転させる用紙反転装置１０において、用紙反転スペースＳより下流位置に、用紙Ｐの先端を搬出用搬送手段１５の搬送面より更に遠ざかる方向に導いて用紙Ｐの先端側を撓ませた状態で移動を阻止する反転用突き当て部材１７を設け、搬入用吸引手段１４の搬送面に形成された吸引孔２０ａ，２０ｂの開口パターンを、用紙Ｐが反転位置に達する手前までは用紙Ｐへの吸引力が強く、用紙Ｐが反転位置に達すると用紙Ｐへの吸引力が弱くなるように設定した。【選択図】      図５
2007055730.tif 000002
【特許請求の範囲】
【請求項１】
用紙反転スペースの一方面側に配置され、用紙を前記用紙反転スペースの搬入方向に搬送する搬入用搬送手段と、この搬入用搬送手段の搬送面に前記用紙を吸引する搬入用吸引手段と、前記用紙反転スペースの他方面側に配置されて前記搬入用搬送手段に対向配置され、前記用紙を前記用紙反転スペースの搬出方向に搬送する搬出用搬送手段と、この搬出用搬送手段の搬送面に前記用紙を吸引する搬出用吸引手段とを備え、前記用紙反転スペースに導き入れた前記用紙を前記搬入用吸引手段の吸引力で搬送面に吸引し、この搬送面に吸引した用紙を前記搬入用搬送手段によって前記用紙反転スペースの搬入方向に搬送し、反転位置で前記用紙を前記搬出用搬送手段の搬送面に乗り移らせ、この乗り移った用紙を前記搬出用吸引手段の吸引力で搬送面に吸引し、この搬送面に吸引した用紙を前記搬出用搬送手段によって搬出方向に搬送することによって前記用紙の表裏を反転させるようにした用紙反転装置において、
前記用紙反転スペースより下流位置に、前記搬入用搬送手段によって搬送されて来る前記用紙の先端を前記搬出用搬送手段に対して更に遠ざかる方向に導いて前記用紙の先端側を撓ませ、且つ、前記用紙の移動を反転位置で阻止する反転用突き当て部材を設け、前記用紙が搬入過程で反転位置に達するまでは、前記用紙に対する吸引力が強く、前記用紙が反転位置に達すると、前記用紙に対する吸引力が弱くなるように設定されたことを特徴とする用紙反転装置。
【請求項２】
用紙反転スペースの一方面側に配置され、用紙を前記用紙反転スペースの搬入方向に搬送する搬入用搬送手段と、この搬入用搬送手段の搬送面に前記用紙を吸引する搬入用吸引手段と、前記用紙反転スペースの他方面側に配置されて前記搬入用搬送手段に対向配置され、前記用紙を前記用紙反転スペースの搬出方向に搬送する搬出用搬送手段と、この搬出用搬送手段の搬送面に前記用紙を吸引する搬出用吸引手段とを備え、前記用紙反転スペースに導き入れた前記用紙を前記搬入用吸引手段の吸引力で搬送面に吸引し、この搬送面に吸引した用紙を前記搬入用搬送手段によって前記用紙反転スペースの搬入方向に搬送し、反転位置で前記用紙を前記搬出用搬送手段の搬送面に乗り移らせ、この乗り移った用紙を前記搬出用吸引手段の吸引力で搬送面に吸引し、この搬送面に吸引した用紙を前記搬出用搬送手段によって搬出方向に搬送することによって前記用紙の表裏を反転させるようにした用紙反転装置において、
前記用紙反転スペースより下流位置に、前記搬入用搬送手段によって搬送されて来る前記用紙の先端を前記搬出用搬送手段に対して更に遠ざかる方向に導いて前記用紙の先端側を撓ませ、且つ、前記用紙の移動を反転位置で阻止する反転用突き当て部材を設け、前記搬入用吸引手段は、搬送面側のほぼ全域に亘って多数の吸引孔が形成された吸引ボックスと、この吸引ボックス内を減圧する吸引ファンとを有し、前記多数の吸引孔の開口パターンは、前記用紙が搬入過程で反転位置に達するまでは、前記用紙によって塞がれない前記吸引孔のトータル開口面積が小さくて吸引力が強く、前記用紙が反転位置に達すると、前記用紙によって塞がれない前記吸引孔のトータル開口面積が大きくて吸引力が弱くなるように設定されたことを特徴とする用紙反転装置。
【請求項３】
用紙反転スペースの一方面側に配置され、用紙を前記用紙反転スペースの搬入方向に搬送する搬入用搬送手段と、この搬入用搬送手段の搬送面に前記用紙を吸引する搬入用吸引手段と、前記用紙反転スペースの他方面側に配置されて前記搬入用搬送手段に対向配置され、前記用紙を前記用紙反転スペースの搬出方向に搬送する搬出用搬送手段と、この搬出用搬送手段の搬送面に前記用紙を吸引する搬出用吸引手段とを備え、前記用紙反転スペースに導き入れた前記用紙を前記搬入用吸引手段の吸引力で搬送面に吸引し、この搬送面に吸引した用紙を前記搬入用搬送手段によって前記用紙反転スペースの搬入方向に搬送し、反転位置で前記用紙を前記搬出用搬送手段の搬送面に乗り移らせ、この乗り移った用紙を前記搬出用吸引手段の吸引力で搬送面に吸引し、この搬送面に吸引した用紙を前記搬出用搬送手段によって搬出方向に搬送することによって前記用紙の表裏を反転させる用紙反転装置において、前記用紙反転スペースより下流位置に、前記搬入用搬送手段によって搬送されて来る前記用紙の先端を前記搬出用搬送手段に対して更に遠ざかる方向に導いて前記用紙の先端側を撓ませ、前記用紙の移動を反転位置で阻止する反転用突き当て部材を設け、前記搬入用吸引手段は、搬送面側のほぼ全域に亘って多数の吸引孔が形成された吸引ボックスと、吸引ボックス内を減圧する吸引ファンと、前記多数の吸引孔を開閉できるシャッタプレートとを有し、前記用紙が搬入過程で反転位置に達するまでは前記吸引孔を開き、前記用紙が反転位置に達すると前記吸引孔を閉じるように前記シャッタプレートを制御するようにしたことを特徴とする用紙反転装置。
【発明の詳細な説明】
【技術分野】
【０００１】
本発明は、画像形成装置（印刷装置、複写機）等に設置され、用紙の両面に画像を形成したり、画像形成した面の上下向きを変えて用紙を排出したりするために、搬送する用紙の表裏を反転させる用紙反転装置に関する。
【背景技術】
【０００２】
この種の従来の用紙反転装置として、図１４と図１５に開示したものがある（例えば、特許文献１参照）。この用紙反転装置１００は、図１４（ａ），（ｂ）と図１５（ａ），（ｂ）に示すように、用紙反転スペースＳの一方面側に配置され、用紙Ｐを用紙反転スペースＳの搬入方向Ａに搬送する搬入用搬送手段１０１と、この搬入用搬送手段１０１の搬送面に用紙Ｐを吸引する搬入用吸引手段１０２と、用紙反転スペースＳの他方面側に配置されて搬入用搬送手段１０１に対向配置され、用紙Ｐを用紙反転スペースＳの搬出方向Ｂに搬送する搬出用搬送手段１０３と、この搬出用搬送手段１０３の搬送面に用紙Ｐを吸引する搬出用吸引手段１０４と、用紙反転スペースＳの一方面側に配置され、搬入用搬送手段１０１側から搬出用搬送手段１０３側に空気流を吹き出す乗り移り用吐出手段１０５とを備えている。
【０００３】
搬入用搬送手段１０１と搬出用搬送手段１０３は、間隔をおいて配置された一対のローラ１０１ａ，１０３ａと、これら一対のローラ１０１ａ，１０３ａ間に掛け渡された無限端の搬送ベルト１０１ｂ，１０３ｂからそれぞれ構成されている。
【０００４】
上記構成において、図１４（ａ）に示すように、通常搬送経路から用紙反転スペースＳに導き入れた用紙Ｐを搬入用吸引手段１０２の吸引力で搬送面に吸引し、搬送面に吸引した用紙Ｐを搬入用搬送手段１０１の駆動（矢印ａ方向）によって用紙反転スペースＳの搬入方向Ａに搬送する。用紙Ｐが反転位置まで搬入すると、搬入用搬送手段１０１の駆動が停止される。
【０００５】
そして、図１４（ｂ）に示すように、搬出用吸引手段１０４が吸引を開始し、且つ、図１５（ａ）に示すように、乗り移り用吐出手段１０５が空気流の吐出を開始する。これら空気流によって用紙Ｐが搬入用搬送手段１０１の搬送面から搬出用搬送手段１０３の搬送面に乗り移る。次に、図１５（ｂ）に示すように、搬出用搬送手段１０３の駆動（矢印ｂ方向）が開始され、用紙Ｐが搬出方向Ｂに搬送して通常搬送経路に戻される。以上により、用紙Ｐの表裏が反転させる。
【０００６】
つまり、前記従来の用紙反転装置１００では、乗り移り用吐出手段１０５と搬出用吸引手段１０４の送風機（図示せず）をオン・オフ制御することによって反転位置の用紙Ｐを搬入用搬送手段１０１から搬出用搬送手段１０３に乗り移らせている。
【特許文献１】特開２０００−２６００１号公報
【発明の開示】
【発明が解決しようとする課題】
【０００７】
しかしながら、前記送風機をオフからオンに切り換えた場合、直ちに所望の送風力が得られるわけではなく若干の時間を要した。従って、反転位置に達した用紙Ｐを搬入用搬送手段１０１から搬出用搬送手段１０３に直ちに乗り移らせることができないため、用紙Ｐを高速反転させることができないという問題があった。
【０００８】
そこで、本発明は、用紙を高速反転させることができる用紙反転装置を提供することを目的とする。
【課題を解決するための手段】
【０００９】
上記目的を達成する請求項１の発明は、用紙反転スペースの一方面側に配置され、用紙を前記用紙反転スペースの搬入方向に搬送する搬入用搬送手段と、この搬入用搬送手段の搬送面に前記用紙を吸引する搬入用吸引手段と、前記用紙反転スペースの他方面側に配置されて前記搬入用搬送手段に対向配置され、前記用紙を前記用紙反転スペースの搬出方向に搬送する搬出用搬送手段と、この搬出用搬送手段の搬送面に前記用紙を吸引する搬出用吸引手段とを備え、前記用紙反転スペースに導き入れた前記用紙を前記搬入用吸引手段の吸引力で搬送面に吸引し、この搬送面に吸引した用紙を前記搬入用搬送手段によって前記用紙反転スペースの搬入方向に搬送し、反転位置で前記用紙を前記搬出用搬送手段の搬送面に乗り移らせ、この乗り移った用紙を前記搬出用吸引手段の吸引力で搬送面に吸引し、この搬送面に吸引した用紙を前記搬出用搬送手段によって搬出方向に搬送することによって前記用紙の表裏を反転させるようにした用紙反転装置において、前記用紙反転スペースより下流位置に、前記搬入用搬送手段によって搬送されて来る前記用紙の先端を前記搬出用搬送手段に対して更に遠ざかる方向に導いて前記用紙の先端側を撓ませ、且つ、前記用紙の移動を反転位置で阻止する反転用突き当て部材を設け、前記用紙が搬入過程で反転位置に達するまでは、前記用紙に対する吸引力が強く、前記用紙が反転位置に達すると、前記用紙に対する吸引力が弱くなるように設定されたことを特徴とする。
【００１０】
請求項２の発明は、用紙反転スペースの一方面側に配置され、用紙を前記用紙反転スペースの搬入方向に搬送する搬入用搬送手段と、この搬入用搬送手段の搬送面に前記用紙を吸引する搬入用吸引手段と、前記用紙反転スペースの他方面側に配置されて前記搬入用搬送手段に対向配置され、前記用紙を前記用紙反転スペースの搬出方向に搬送する搬出用搬送手段と、この搬出用搬送手段の搬送面に前記用紙を吸引する搬出用吸引手段とを備え、前記用紙反転スペースに導き入れた前記用紙を前記搬入用吸引手段の吸引力で搬送面に吸引し、この搬送面に吸引した用紙を前記搬入用搬送手段によって前記用紙反転スペースの搬入方向に搬送し、反転位置で前記用紙を前記搬出用搬送手段の搬送面に乗り移らせ、この乗り移った用紙を前記搬出用吸引手段の吸引力で搬送面に吸引し、この搬送面に吸引した用紙を前記搬出用搬送手段によって搬出方向に搬送することによって前記用紙の表裏を反転させるようにした用紙反転装置において、前記用紙反転スペースより下流位置に、前記搬入用搬送手段によって搬送されて来る前記用紙の先端を前記搬出用搬送手段に対して更に遠ざかる方向に導いて前記用紙の先端側を撓ませ、且つ、前記用紙の移動を反転位置で阻止する反転用突き当て部材を設け、前記搬入用吸引手段は、搬送面側のほぼ全域に亘って多数の吸引孔が形成された吸引ボックスと、この吸引ボックス内を減圧する吸引ファンとを有し、前記多数の吸引孔の開口パターンは、前記用紙が搬入過程で反転位置に達するまでは、前記用紙によって塞がれない前記吸引孔のトータル開口面積が小さくて吸引力が強く、前記用紙が反転位置に達すると、前記用紙によって塞がれない前記吸引孔のトータル開口面積が大きくて吸引力が弱くなるように設定されたことを特徴とする。
【００１１】
請求項３の発明は、用紙反転スペースの一方面側に配置され、用紙を前記用紙反転スペースの搬入方向に搬送する搬入用搬送手段と、この搬入用搬送手段の搬送面に前記用紙を吸引する搬入用吸引手段と、前記用紙反転スペースの他方面側に配置されて前記搬入用搬送手段に対向配置され、前記用紙を前記用紙反転スペースの搬出方向に搬送する搬出用搬送手段と、この搬出用搬送手段の搬送面に前記用紙を吸引する搬出用吸引手段とを備え、前記用紙反転スペースに導き入れた前記用紙を前記搬入用吸引手段の吸引力で搬送面に吸引し、この搬送面に吸引した用紙を前記搬入用搬送手段によって前記用紙反転スペースの搬入方向に搬送し、反転位置で前記用紙を前記搬出用搬送手段の搬送面に乗り移らせ、この乗り移った用紙を前記搬出用吸引手段の吸引力で搬送面に吸引し、この搬送面に吸引した用紙を前記搬出用搬送手段によって搬出方向に搬送することによって前記用紙の表裏を反転させるようにした用紙反転装置において、前記用紙反転スペースより下流位置に、前記搬入用搬送手段によって搬送されて来る前記用紙の先端を前記搬出用搬送手段に対して更に遠ざかる方向に導いて前記用紙の先端側を撓ませ、前記用紙の移動を反転位置で阻止する反転用突き当て部材を設け、前記搬入用吸引手段は、搬送面側のほぼ全域に亘って多数の吸引孔が形成された吸引ボックスと、吸引ボックス内を減圧する吸引ファンと、前記多数の吸引孔を開閉できるシャッタプレートとを有し、前記用紙が搬入過程で反転位置に達するまでは前記吸引孔を開き、前記用紙が反転位置に達すると前記吸引孔を閉じるように前記シャッタプレートを制御するようにしたことを特徴とする。
【発明の効果】
【００１２】
請求項１及び請求項２の発明によれば、用紙反転スペース内に搬入された用紙が反転位置に達すると、用紙の後端側に発生する撓み復帰力と搬入用搬送手段の吸引力の減衰とによって、搬出用吸引手段の吸引力が作用する搬出用搬送手段の搬送面に用紙が乗り移る。ここで、用紙の撓み復帰力と搬入用吸引手段の吸引力減衰は、用紙が反転位置に達すると同時に発生するため、用紙が高速で乗り移る。従って、用紙を高速反転させることができる。また、用紙の乗り移りを行うための制御が一切必要ないという利点もある。
【００１３】
請求項３の発明によれば、用紙反転スペース内に搬入された用紙が反転位置に達すると、シャッタプレートが移動して搬入用吸引手段の吸引力が消滅することによって、搬出用吸引手段の吸引力が作用する搬出用搬送手段の搬送面に用紙が乗り移る。ここで、シャッタプレートの移動は一瞬であり、搬入用吸引手段の吸引力も一瞬で消滅するため、用紙が反転位置に達すると同時に高速で乗り移る。従って、用紙を高速反転させることができる。
【発明を実施するための最良の形態】
【００１４】
以下、本発明の実施形態を図面に基づいて説明する。
【００１５】
図１〜図１０は本発明の用紙反転装置を印刷装置に適用した第１実施形態を示し、図１は印刷装置の要部構成図、図２は搬入用搬送手段と搬入側吸引手段の斜視図、図３は搬出用搬送手段と搬出用吸引手段の斜視図、図４は用紙が用紙反転スペースに搬入される状態を示す用紙反転装置の断面図、図５は用紙が反転位置に達した状態を示す用紙反転装置の断面図、図６は用紙が搬入用搬送手段の搬送面から搬出用搬送手段の搬送面に乗り移った状態を示す用紙反転装置の断面図、図７は用紙が用紙反転スペースから搬出される状態を示す用紙反転装置の断面図、図８は用紙の先端側が第１ガイドプレートに接触しないで搬入されることを説明するための要部拡大構成図、図９は搬入コーナ部に強く吸着されることを説明するための要部拡大構成図、図１０（ａ）は用紙が反転位置より上流を搬送中である場合の吸引口の開口状態を示す図、図１０（ｂ）は用紙が反転位置に位置する場合の吸引孔の開口状態を示す図である。
【００１６】
図１に示すように、印刷装置１は、第１ドラム２及び第１プレスロール３を有する第１印刷部４と、第２ドラム５及び第２プレスロール６を有する第２印刷部７と、第１印刷部４と第２印刷部７の搬送経路Ｒの途中に配置された用紙反転装置１０とを備えている。
【００１７】
第１ドラム２は、第１プレスロール３との間に給紙された用紙Ｐの上面に例えば孔版印刷手法によって印刷を施すように構成されている。第２ドラム５も同様に、第２プレスロール６との間に給紙された用紙Ｐの上面に例えば孔版印刷手法によって印刷を施すように構成されている。
【００１８】
図１〜図４に示すように、用紙反転装置１０は、第１印刷部４の下流と第２印刷部７の上流間の搬送経路Ｒの一部を構成し、用紙Ｐをスイッチバックさせるための用紙反転スペースＳと、第１ドラム２の下流側から用紙Ｐを用紙反転スペースＳにガイドする第１ガイドプレート１１と、用紙反転スペースＳから第２ドラム５の上流側に用紙Ｐをガイドする第２ガイドプレート１２と、用紙反転スペースＳの一方面側に配置され、用紙Ｐを用紙反転スペースＳの搬入方向Ａに搬送する搬入用搬送手段１３と、この搬入用搬送手段１３の搬送面に用紙Ｐを吸引する搬入用吸引手段１４と、用紙反転スペースＳの他方面側に配置され、用紙Ｐを用紙反転スペースＳの搬出方向Ｂに搬送する搬出用搬送手段１５と、この搬出用搬送手段１５の搬送面に用紙Ｐを吸引する搬出用吸引手段１６と、用紙反転スペースＳの下流に配置された反転用突き当て部材１７とを備えている。
【００１９】
搬入用搬送手段１３は搬出用搬送手段１５に一定の間隔をおいて対向配置されている。搬入用搬送手段１３は、間隔をおいて配置された一対のローラ１３ａ，１３ａと、この一対のローラ１３ａ，１３ａ間に掛け渡された無限端の搬送ベルト１３ｂと、一方のローラ１３ａに回転力を出力するモータ１３ｃとを備えている。搬送ベルト１３ｂには、搬入用吸引手段１４の吸引力を遮断しないための多数の孔１３ｄが形成されている。そして、搬入用搬送手段１３の搬送面は、用紙反転スペースＳ側を移動する搬送ベルト１３ｂの面である。
【００２０】
搬入用吸引手段１４は、搬送面側のほぼ全域に亘って多数の吸引孔２０ａ，２０ｂが形成された吸引ボックス１４ａと、この吸引ボックス１４ａ内を減圧する吸引ファン１４ｂとを備えている。吸引孔２０ａ，２０ｂの開口パターンは、図２に示すように、搬送面の上流側の吸引孔２０ａが大径に、搬送面の下流側の吸引孔２０ｂが小径にそれぞれ設定されている。これにより、図１０（ａ）に示すように、用紙Ｐが搬入過程で反転位置に達するまでは、用紙Ｐによって塞がれない吸引孔２０ａ，２０ｂのトータル開口面積が小さくて吸引力が強く、図１０（ｂ）に示すように、用紙Ｐが反転位置に達すると、用紙Ｐによって塞がれない吸引孔２０ａ，２０ｂのトータル開口面積が大きくて吸引力が弱くなるように設定されている。
【００２１】
また、図２に示すように、第１印刷部４と用紙反転スペースＳの間の搬送経路Ｒは、吸引ボックス１４ａの搬入コーナ部１４ｃによって形成されている。この搬入コーナ部１４ｃには補助吸引孔２１が形成され、ここを通過する用紙Ｐが補助吸引孔２１によって吸引されるようになっている。
【００２２】
搬出用搬送手段１５は、間隔をおいて配置された一対のローラ１５ａ，１５ａと、この一対のローラ１５ａ，１５ａ間に掛け渡された無限端の搬送ベルト１５ｂと、一方のローラ１５ａに回転力を出力するモータ１５ｃとを備えている。搬送ベルト１５ｂには、搬出用吸引手段１６の吸引力を遮断しないための多数の孔１５ｄが形成されている。そして、搬出用搬送手段１５の搬送面は、用紙反転スペースＳ側を移動する搬送ベルト１５ｂの面である。
【００２３】
搬出用吸引手段１６は、搬送面側のほぼ全域に亘って多数の吸引孔２２が形成された吸引ボックス１６ａと、この吸引ボックス１６ａ内を減圧する吸引ファン１６ｂとを備えている。搬出用吸引手段１６側の多数の吸引孔２２は、搬送面のいずれの位置でも同じ径で、且つ、同じ密度に設定されている。
【００２４】
反転用突き当て部材１７は、搬入用搬送手段１３の搬送面より退出した面に沿って下方に延設された搬入側の側板１７ａと、搬出用搬送手段１５の搬送面に沿って下方に延設された搬出側の側板１７ｂと、双方の側板１７ａ，１７ｂ間を連結し、搬入側が低くなる方向に傾斜された傾斜板１７ｃとを備えている。そして、搬入用搬送手段１３によって搬送されて来る用紙Ｐの先端が傾斜板１７ｃに突き当たると、用紙Ｐの先端側が傾斜板１７ｃによって搬出用搬送手段１５に対して更に遠ざかる方向に導かれ、用紙Ｐの先端が傾斜板１７ｃの下方エッジ１７ｄに突き当たり、用紙Ｐの移動が阻止される。用紙Ｐの先端が下方エッジ１７ｄに突き当たる位置が用紙Ｐの反転位置に設定される。反転用突き当て部材１７は、上下方向に移動自在に設定され、用紙Ｐの大きさによって反転位置を調整できるようになっている。
【００２５】
次に、上記印刷装置１の用紙反転装置１０の反転動作を中心に説明する。
【００２６】
この用紙反転装置１０は、その搬入用搬送手段１３が矢印ａ方向に，搬出用搬送手段が矢印ｂ方向にそれぞれ駆動され、且つ、搬入用吸引手段１４及び搬出用吸引手段１６の各吸引ファン１４ｂ，１６ｂがそれぞれ回転駆動されている。
【００２７】
第１印刷部４によって上面に印刷が施された用紙Ｐは、吸引ボックス１４ａの搬入コーナ部１４ｃに向かって搬送される。用紙Ｐの先端側が搬入コーナ部１４ｃ上に差し掛かると、用紙Ｐは補助吸引孔２１からの吸引力によって下方に撓みながら反転スペースＳへと導かれる。図４に示すように、用紙反転スペースＳに導き入れられた用紙Ｐは、搬入用吸引手段１４の吸引力で搬送面に吸引され、搬送面に吸引された用紙Ｐが搬入用搬送手段１３によって用紙反転スペースＳの搬入方向Ａに搬送される。用紙反転スペースＳへの搬送が進むと、用紙Ｐの先端が反転用突き当て部材１７の傾斜板１７ｃに突き当たり、傾斜板１７ｃ上を摺動する。そして、図５に示すように、用紙Ｐの先端が傾斜板１７ｃの下方エッジ１７ｄに突き当たると、これ以上の用紙Ｐの移動が阻止される。これによって、用紙Ｐが大きく撓み、用紙Ｐの後端側には撓み復帰力が発生する。また、搬入用吸引手段１４による用紙吸引力は、図１０（ａ）に示すように、用紙Ｐが反転位置に達する前までは大きいが、図１０（ｂ）に示すように、反転位置に達すると小さくなる。以上により、用紙Ｐが反転位置に達すると、用紙Ｐの後端側に発生する撓み復帰力と搬入用搬送手段１３の吸引力の減衰とによって、用紙Ｐは、図６に示すように、搬出用吸引手段１６の吸引力が作用する搬出用搬送手段１５の搬送面に乗り移る。
【００２８】
図７に示すように、乗り移った用紙Ｐは、搬出用吸引手段１６の吸引力で搬送面に吸引され、搬送面に吸引された用紙Ｐが搬出用搬送手段１５によって搬出方向に搬送される。搬出方向Ｂの搬送が進むと、用紙Ｐの先端が第２ガイドプレート１２にガイドされて第２印刷部７の上流側に搬出され、用紙Ｐの表裏が反転される。表裏が反転された用紙Ｐは、第２印刷部７に給紙され、用紙Ｐの上面に印刷が施される。以上により、用紙Ｐには両面印刷が施されることになる。
【００２９】
以上、上記用紙反転装置１０では、用紙Ｐを反転位置で所定方向に撓ませてその移動を阻止する反転用突き当て部材１７を設けると共に、用紙Ｐが反転位置に達すると吸引孔２０ａ，２０ｂの吸引力が減衰する開口パターンに設定したので、用紙反転スペースＳに搬入された用紙Ｐが反転位置に達すると、用紙Ｐの後端側に発生する撓み復帰力と搬入用搬送手段１３の吸引力の減衰とによって、用紙Ｐは搬出用吸引手段１６の吸引力が作用する搬出用搬送手段１５の搬送面に乗り移る。そして、用紙Ｐの撓み復帰力と搬入用吸引手段１４の吸引減衰は、用紙Ｐが反転位置に達すると同時に発生するため、用紙Ｐが高速で乗り移る。従って、用紙Ｐを高速反転させることができる。また、上記用紙反転装置１０では、用紙Ｐの乗り移りを行うための制御が一切必要ない。
【００３０】
この第１実施形態では、用紙反転スペースＳの入口の搬入コーナ部１４ｃには、補助吸引口２１が設けられたので、図８の実線で示すように、用紙Ｐの先端側が第１ガイドプレート１１に接触させることなく用紙Ｐの先端側が用紙反転スペースＳに導かれる。従って、用紙Ｐの印刷面が第１ガイドプレート１１に接触することによる画像擦れを防止できる。尚、図８の仮想線は補助吸引孔２１を設けなかった場合の用紙Ｐの搬送状態を示す。
【００３１】
また、図９に示すように、吸引ボックス１４ａの搬入コーナ部１４ｃを通過する用紙Ｐには、補助吸引口２１からの吸引力ｃと第１ガイドプレート１１の内側に侵入する空気流のエアー押圧力ｄとが作用するため、用紙Ｐには搬入コーナ部１４ｃに吸着する強い吸着力が作用し、用紙Ｐを用紙反転スペースＳにスムーズに導き入れることができる。
【００３２】
尚、前記第１実施形態では、吸引孔２０ａ，２０ｂの径を大小２種類にする開口パターンによって吸引力を調整したが、設置面積当たりの吸引孔の密度によって吸引力を調整するようにしても良く、或いは、径の大小と密度の両方によって吸引力を調整するようにしても良い。
【００３３】
図１１〜図１３は本発明の第２実施形態を示し、図１１は搬入用搬送手段と搬入側吸引手段の斜視図、図１２はシャッタプレートの開閉動作の概念図、図１３（ａ）は第１ドラムの回転角度とシャッタプランジャの駆動タイミングを示すタイミングチャート、図１３（ｂ）は第１ドラムの回転角度と用紙センサとシャッタプランジャの駆動タイミングを示すタイミングチャートである。
【００３４】
この第２実施形態は、前記第１実施形態と比較するに、搬入用吸引手段１４の吸引孔２０の開口パターンが相違すると共に搬入用吸引手段１４には吸引孔（図示せず）を開閉するシャッタプレート２３が付設されている点が相違する。
【００３５】
つまり、図１１に示すように、吸引ボックス１４ａの搬送面側に形成された多数の吸引孔（図示せず）は、全て同じ径に設定されている。また、吸引ボックス１４ａの搬送面上にはシャッタプレート２３がスライド自在に配置されている。シャッタプレート２３には孔２３ａが形成され、吸引ボックス１４ａ側の吸引孔とシャッタプレート２３の孔２３ａが重なる開口位置と、吸引ボックス１４ａ側の吸引孔がシャッタプレート２３によって閉塞される閉口位置との間で変移される。シャッタプランジャ２４がオンされると、シャッタプレート２３が開口位置から閉口位置にスライドされ、シャッタプランジャ２４がオフされると、シャッタプレート２３がスプリング２５のスプリング力によって閉口位置から開口位置にスライドされる。
【００３６】
シャッタプランジャ２４は、図１３（ａ）に示すように、第１ドラム２（図１に示す）の回転角度位置と用紙Ｐの移動位置とが同期することを利用し、第１ドラム２の回転角度がＡ度（用紙Ｐの反転位置）に達すると、シャッタプレート２３を全開位置から全閉位置にスライドし、回転角度がＢ度に達すると、シャッタプレート２３を全閉位置から全開位置に戻すようにシャッタプランジャ２４がオン・オフ制御されるようになっている。また、図１３（ｂ）に示すように、用紙Ｐが反転位置まで搬送されたことを検出する用紙センサ（図示せず）を設け、用紙センサの検出結果によってシャッタプランジャ２４をオン・オフ制御するようにしても良い。尚、他の構成は、前記第１実施形態と同一であるため、説明を省略する。
【００３７】
この第２実施形態では、用紙反転スペースＳに搬入された用紙Ｐが反転位置に達すると、シャッタプレート２３が全開位置から全閉位置に移動して搬入用吸引手段１４の吸引力が消滅するため、用紙Ｐが搬出用吸引手段１６の吸引力によって搬出用搬送手段１５に乗り移る。ここで、シャッタプレート２３の移動は一瞬であり、搬入用吸引手段１４の吸引力も一瞬で消滅するため、用紙Ｐが反転位置に達すると同時に高速で乗り移る。従って、用紙Ｐを高速反転させることができる。
【００３８】
尚、前記各実施形態では、搬入用搬送手段１３と搬出用搬送手段１５は、搬送ベルト１３ｂ、１５ｂによるベルト搬送であるが、用紙Ｐを搬送できる手段（例えばローラ搬送）であればこれに限定されるものではない。また、前記各実施形態では、用紙反転装置１０を印刷装置１に用いたが、印刷装置１以外に設置しても良い。さらに、両面印刷を行うために用紙反転装置を用いたが、用紙反転装置の利用の仕方はこれに限定されないことは勿論である。
【図面の簡単な説明】
【００３９】
【図１】本発明の第１実施形態を示し、印刷装置の要部構成図である。
【図２】本発明の第１実施形態を示し、搬入用搬送手段と搬入側吸引手段の斜視図である。
【図３】本発明の第１実施形態を示し、搬出用搬送手段と搬出用吸引手段の斜視図である。
【図４】本発明の第１実施形態を示し、用紙が用紙反転スペースに搬入される状態を示す用紙反転装置の断面図である。
【図５】本発明の第１実施形態を示し、用紙が反転位置に達した状態を示す用紙反転装置の断面図である。
【図６】本発明の第１実施形態を示し、用紙が搬入用搬送手段の搬送面から搬出用搬送手段の搬送面に乗り移った状態を示す用紙反転装置の断面図である。
【図７】本発明の第１実施形態を示し、用紙が用紙反転スペースから搬出される状態を示す用紙反転装置の断面図である。
【図８】本発明の第１実施形態を示し、用紙の先端側が第１ガイドプレートに接触しないで搬入されることを説明するための要部拡大構成図である。
【図９】本発明の第１実施形態を示し、用紙が搬入コーナ部に強く吸着されることを説明するための要部拡大構成図である。
【図１０】本発明の第１実施形態を示し、（ａ）は用紙が反転位置より上流を搬送中である場合の吸引口の開口状態を示す図、（ｂ）は用紙が反転位置に位置する場合の吸引孔の開口状態を示す図である。
【図１１】本発明の第２実施形態を示し、搬入用搬送手段と搬入側吸引手段の斜視図である。
【図１２】本発明の第２実施形態を示し、シャッタプレートの開閉動作の概念図である。
【図１３】本発明の第２実施形態を示し、（ａ）は第１ドラムの回転角度とシャッタプランジャの駆動タイミングを示すタイミングチャート、（ｂ）は第１ドラムの回転角度と用紙センサとシャッタプランジャの駆動タイミングを示すタイミングチャートである。
【図１４】従来例を示し、（ａ）は用紙が用紙反転スペースに導かれる状態を示す断面図、（ｂ）は用紙反転位置の用紙に対し搬出用吸引手段による吸引を開始した状態を示す断面図である。
【図１５】従来例を示し、（ａ）は用紙反転位置の用紙に対し乗り移り用吐出手段の吐出を開始した状態を示す断面図、（ｂ）は搬出用搬送手段の駆動を開始した状態を示す断面図である。
【符号の説明】
【００４０】
１０  用紙反転装置
１３  搬入用搬送手段
１４  搬入用吸引手段
１４ａ  吸引ボックス
１４ｂ  吸引ファン
１５  搬出用搬送手段
１６  搬出用吸引手段
１７  反転用突き当て部材
２０ａ，２０ｂ  吸引孔
２３  シャッタプレート
Ａ  搬入方向
Ｂ  搬出方向
Ｐ  用紙
Ｓ  用紙反転スペース
【図１】
2007055730.tif 000003
【図２】
2007055730.tif 000004
【図３】
2007055730.tif 000005
【図４】
2007055730.tif 000006
【図５】
2007055730.tif 000007
【図６】
2007055730.tif 000008
【図７】
2007055730.tif 000009
【図８】
2007055730.tif 000010
【図９】
2007055730.tif 000011
【図１０】
2007055730.tif 000012
【図１１】
2007055730.tif 000013
【図１２】
2007055730.tif 000014
【図１３】
2007055730.tif 000015
【図１４】
2007055730.tif 000016
【図１５】
2007055730.tif 000017